(57)【要約】      （修正有）【課題】コンパクトな構成で持ち運びが容易であり、バッターボックスラインを引く作業を正確且つ容易に行う事が可能なベースボールライン引き補助器具の提供。【解決手段】バッターボックスの外周と略同一で、幅長さを所定の幅長さにして構成された右打席バッターボックス枠２（または左打席バッターボックス枠３）と、右打席バッターボックス枠２と左打席バッターボックス枠３と一体として形成され、ホームベースの外周の２辺以上の部分と接する中空部が形成されたホームベース枠４とを有し、右打席バッターボックス枠２および左打席バッターボックス枠３には、右打席バッターボックス枠２および左打席バッターボックス枠３のそれぞれの内周から所定の長さ離れたところに周方向に渡ってライン引き器具の車輪を載せる溝状のライン引き車輪レール９が形成されている。【選択図】図１
2015057087.tif 000002
【特許請求の範囲】
【請求項１】
グランドにラインを引く際に用いるベースボールライン引き補助器具であって、
内周が規則により定められた右打席バッターボックスの外周と略同一で、幅長さを所定の幅長さにして構成された右打席バッターボックス枠と、
内周が規則により定められた左打席バッターボックスの外周と略同一で、幅長さを所定の幅長さにして構成された左打席バッターボックス枠と、
前記右打席バッターボックス枠と前記左打席バッターボックス枠の間に形成され、ホームベースの外周の２辺以上の部分と接する中空部が形成されたホームベース枠と、を有し、
前記右打席バッターボックス枠および前記左打席バッターボックス枠には、前記右打席バッターボックス枠および前記左打席バッターボックス枠のそれぞれの内周から所定の長さ離れたところに周方向に渡ってライン引き器具の車輪を載せる溝状のライン引き車輪レールが形成されていることを特徴とするベースボールライン引き補助器具。
【請求項２】
前記右打席バッターボックス枠、前記左打席バッターボックス枠、または前記ホームベース枠の少なくとも１つに差込棒を挿入してグランドに固定するための固定孔が形成され、
前記右打席バッターボックス枠、前記左打席バッターボックス枠、または前記ホームベース枠に形成された前記固定孔の合計個数は、２個以上であることを特徴とする請求項１記載のベースボールライン引き補助器具。
【請求項３】
前記右打席バッターボックス枠および前記左打席バッターボックス枠は、短辺の横方向の中央部分である横方向中央部で分離し、該横方向中央部で分離した前記右打席バッターボックス枠および前記左打席バッターボックス枠をそれぞれ下側方向に折曲する横方向中央バッター連結折曲手段により連結され、さらに、長辺の縦方向の上部１／３部分である縦方向上部１／３部で分離し、該縦方向上部１／３部で分離した前記右打席バッターボックス枠および前記左打席バッターボックス枠をそれぞれ下側方向に折曲する縦方向上部１／３バッター連結折曲手段により連結されるとともに、長辺の縦方向の下部１／３部分である縦方向下部１／３部でも分離し、該縦方向下部１／３部で分離した前記右打席バッターボックス枠および前記左打席バッターボックス枠をそれぞれ下側方向に折曲する縦方向下部１／３バッター連結折曲手段により連結され、
前記ホームベース枠は、前記右打席バッターボックスと前記左打席バッターボックスの間の横方向の中央部で分離し、該中央部で分離した前記ホームベース枠を下側方向に折曲する中央ホーム連結折曲手段により連結される請求項１記載のベースボールライン引き補助器具。
【請求項４】
前記右打席バッターボックス枠および前記左打席バッターボックス枠は、短辺の横方向の中央部分である横方向中央部で分離し、該横方向中央部で分離した前記右打席バッターボックス枠および前記左打席バッターボックス枠をそれぞれ上側方向に折曲する横方向中央バッター連結折曲手段により連結され、さらに、長辺の縦方向の上部１／３部分である縦方向上部１／３部で分離し、該縦方向上部１／３部で分離した前記右打席バッターボックス枠および前記左打席バッターボックス枠をそれぞれ下側方向に折曲する縦方向上部１／３バッター連結折曲手段により連結されるとともに、長辺の縦方向の下部１／３部分である縦方向下部１／３部でも分離し、該縦方向下部１／３部で分離した前記右打席バッターボックス枠および前記左打席バッターボックス枠をそれぞれ下側方向に折曲する縦方向下部１／３バッター連結折曲手段により連結され、
前記ホームベース枠は、前記右打席バッターボックスと前記左打席バッターボックスの間の横方向の中央部で分離し、該中央部で分離した前記ホームベース枠を下側方向に折曲する中央ホーム連結折曲手段により連結され、
前記右打席バッターボックス枠および前記左打席バッターボックス枠と前記ホームベース枠は、前記右打席バッターボックス枠および前記左打席バッターボックス枠と前記ホームベース枠とを分離させて、該分離部分に前記右打席バッターボックス枠および前記左打席バッターボックス枠を上側方向に折曲させるホームバッター連結折曲手段を配置している請求項１記載のベースボールライン引き補助器具。
【発明の詳細な説明】
【技術分野】
【０００１】
本発明は、グランドにラインを引く際に用いるベースボールライン引き補助器具に関する。
【背景技術】
【０００２】
従来から、グランドにラインを引く際に用いるライン引きゲージ（ベースボールライン引き補助器具）が知られていた。従来のライン引きゲージについて図面を参照しながら説明する。図１９は、従来のライン引きゲージ（ベースボールライン引き補助器具）の上面図である。
【０００３】
図１９に示すように、ライン引きゲージは、一対の上部枠体１１１Ｌ、１１１Ｒと、一対の下部枠体１１２Ｌ、１１２Ｒと、一対の中央枠体１１３Ｌ、１１３Ｒと縦枠体１１４、１１４と、コ字状枠体１１５と、コ字状枠体１１６と、一対のＬ字枠体１１７、１１８から構成されている。
【０００４】
上部枠体１１１Ｌ、１１１Ｒは中央で上側方向に折曲する上部中央ヒンジ１０１を介して連結され、下部枠体１１２Ｌ、１１２Ｒは中央で上側方向に折曲する下部中央ヒンジ１０２を介して連結されている。また、中央枠体１１３Ｌ、１１３Ｒは、上部枠体１１１と下部枠体１１２との間で、ホームベースの上辺に沿って配置され、横幅が上部枠体１１１Ｌ、１１１Ｒおよび下部枠体１１２Ｌ、１１２Ｒより短く、中央で上側方向に折曲する中間中央ヒンジ１０３を介して連結されている。縦枠体１１４、１１４は、上部枠体１１１と下部枠体１１２との間に架設され、中央枠体１１３の各端と連結されている。コ字状枠体１１５は、上部枠体１１１および下部枠体１１２の右側上下端に対して、下側方向に折曲するように右側上部ヒンジ１０４および右側下部ヒンジ１０５を介して連結され、またコ字状枠体１１６は、上部枠体１１１および下部枠体１１２の左側上下端に対して、下側方向に折曲するように左側上部ヒンジ１０６および左側下部ヒンジ１０７を介して連結されている。このように、上部枠体１１１、下部枠体１１２、縦枠体１１４、コ字状枠体１１５、１１６で囲まれた各左右部分によりバッターボックス枠に相当する形が形成されている。
【０００５】
バッターボックス枠の下部には、一対のＬ字枠体１１７、１１８が設けられている。この一対のＬ字枠体１１７、１１８は、短側同士を下側方向に折曲するように最下位部ヒンジ１０８を介して連結され、長辺端部の各部を上側方向に折曲する右側下部ヒンジ１０５および左側下部ヒンジ１０７の内側の下部枠体１１２Ｌ、１１２Ｒに連結ヒンジ１０９、１１０を介して連結されている。
【０００６】
中央枠体１１３Ｌ、1１３Ｒには、ホームベースＨＢの上部両端に対応する位置に、位置決めマーカー１２１、１２１がペイントされ、コ字状枠体１１５の上枠には、一塁側ライン線が描かれる位置（ホームベースの上辺に中央枠体１１３を合わせた場合に、ホームベースの斜辺部の延長線上の内側にある位置）にライン印１２２がペイントされている。同様に、コ字状枠体１１６の上枠には、三塁側ライン線が描かれる位置にライン印１２２がペイントされている。そして、中央枠体１１３Ｌ、１１３Ｒにペイントされた位置決めマーカー１２１、１２１に合わせてホームベースＨＢの上部両端位置を配置し、さらに、あらかじめ描かれている一塁側ライン線（三塁側ライン線）に合わせてコ字状枠体１１５（１１６）の上枠にペイントされたライン印１２２を配置させ、バッターボックスの位置や方向が正確になるようにしている。そして、まず棒状体（図示略）の先端部でラインを引くことにより、バッターボックス等の外側部分の外枠ラインが引かれる。次に、その外枠ラインの内側部分に沿って、図１９の斜線部分で示す幅の白線を引くことにより、ホームベースＨＢに対して正確な位置にバッターボックス及びキャッチャーボックスのラインを引くことができるというものであった(例えば、特許文献１)。
【０００７】
また、ラインの位置ずれを生じることなくラインを引くことができるライン引き機の位置決め用ガイドレールが知られている。このライン引き機の位置決め用ガイドレールは、鉄道レールと類似する構造から構成され、ライン引き機の車輪が走行するガイドと、そのガイドを固定する支持体から構成されているというものであった。
【先行技術文献】
【特許文献】
【０００８】
【特許文献１】実用新案登録第３１６４２８２号公報
【特許文献２】特開平１１−５７１１３号公報
【発明の概要】
【発明が解決しようとする課題】
【０００９】
しかしながら、従来のライン引きゲージでは、中央枠体１１３Ｌ、１１３Ｒにペイントされた位置決めマーカー１２１、１２１とホームベースＨＢの上部両端位置を合わせ、さらに、一塁側ライン線（三塁側ライン線）とコ字状枠体１１５（１１６）の上枠にペイントされたライン印１２２を合わせて、バッターボックスの位置や方向が正確になるようにしているが、棒状体で外枠ラインを引く際にライン引きゲージの位置がずれると、正確にバッターボックス及びキャッチャーボックスのラインを引くことができないという問題があった。また、作業者がライン引き器具（石灰入り）を用いて、棒状体で引いた外枠ラインの内側部分に沿って白線を引く際に白線を真っ直ぐ引けない場合は、少し波打った白線になるという問題もあった。このように、バッターボックスの方向や位置が正確に引けていない場合は、ピッチャーが投球し辛くなり、ピッチャーのピッチングに影響と与えるという問題があった。さらに、従来のライン引きゲージでは、棒状体で外枠ラインに引いた後に、その外枠ラインの内側部分に白線を引くことになるので、２回のライン引きが必要となり、使用勝手が必ずしも良いものではないという問題もあった。
【００１０】
また、従来のライン引きゲージは、上部中央ヒンジ１０１、下部中央ヒンジ１０２、中間中央ヒンジ１０３、右側上部ヒンジ１０４および右側下部ヒンジ１０５、左側上部ヒンジ１０６および左側下部ヒンジ１０７、最下位部ヒンジ１０８、連結ヒンジ１０９、１１０を用いて折り畳み可能にし、コンパクトにできるというものであるが、折り畳んだ大きさがバッターボックスの長手方向の長さになるので、ライン引きゲージを自動車に載せることが困難で、ライン引きゲージの移動が面倒になるという問題もあった。
【００１１】
また、従来のライン引き機の位置決め用ガイドレールについては、鉄道レールと類似した構造のものであるので、このライン引き機の位置決め用ガイドレールを使用する際には、ライン引き機の左右の車輪を走行させる２個の位置決め用ガイドレールを準備する必要となり、不便が大きかった。また、ライン引き機の位置決め用ガイドレールは突出した構造であるので、外部からの衝撃により破損しやすく、耐久性に劣るという問題もあった。
【００１２】
本発明は、上記問題点に鑑みてなされたもので、正確な位置に真っ直ぐラインを引くことができ、十分な耐久性を保持することができるとともに、横幅が大きくならずコンパクトな構成であるので、ベースボールライン引き補助器具の持ち運びが容易になり、バッターボックスラインを引く作業も容易にすることができるベースボールライン引き補助器具を提供することを目的とする。
【課題を解決するための手段】
【００１３】
上記課題を解決し上記目的を達成するために、本発明のうち一態様に係るものは、グランドにラインを引く際に用いるベースボールライン引き補助器具であって、内周が規則により定められた右打席バッターボックスの外周と略同一で、幅長さを所定の幅長さにして構成された右打席バッターボックス枠と、内周が規則により定められた左打席バッターボックスの外周と略同一で、幅長さを所定の幅長さにして構成された左打席バッターボックス枠と、右打席バッターボックス枠と左打席バッターボックス枠の間に形成され、ホームベースの外周の２辺以上の部分と接する中空部が形成されたホームベース枠とを有し、右打席バッターボックス枠および左打席バッターボックス枠には、右打席バッターボックス枠および左打席バッターボックス枠のそれぞれの内周から所定の長さ離れたところに周方向に渡ってライン引き器具の車輪を載せる溝状のライン引き車輪レールが形成されていることを特徴とするものである。
【００１４】
本発明によれば、右打席バッターボックス枠および左打席バッターボックス枠のそれぞれの内周から所定の長さ離れたところに周方向に渡ってライン引き器具の車輪を載せる溝状のライン引き車輪レールが形成されているので、作業者はライン引き器具（石灰入り）の車輪をライン引き器具の車輪を載せる溝状のライン引き車輪レールの内周に沿って移動させることにより、バッターボックスの白線を一回のライン引きで、真っ直ぐした白線を引くことができる。また、ホームベース枠に形成された中空部がホームベースの外周の２辺以上の部分と接することにより、ライン引き作業中にベースボールライン引き補助器具が動くことがなく、正確な位置や方向をしたバッターボックスの白線を引くことができる。これにより、ライン引き作業が容易で、かつ正確な位置・方向に真っ直ぐしたバッターボックスの白線を引くことができる。また、ライン引き器具の車輪を載せる溝状のライン引き車輪レールが形成されているので、外部から衝撃を受けても破損することなく十分な耐久性を保持することができるとともに、ライン引き器具の１車輪を溝状のライン引き車輪レールに載せる構造であるので、横幅が大きくならずコンパクトな構造にすることができ、ベースボールライン引き補助器具の持ち運びも容易になり、右打席バッターボックス（左打席バッターボックス）ラインを引く作業を容易にすることができる。
【００１５】
本発明のうち第２の態様に係るものは、第１の態様に係るベースボールライン引き補助器具であって、右打席バッターボックス枠、左打席バッターボックス枠、またはホームベース枠の少なくとも１つに差込棒を挿入してグランドに固定するための固定孔が形成され、右打席バッターボックス枠、左打席バッターボックス枠、またはホームベース枠に形成された固定孔の合計個数は、２個以上であることを特徴とするものである。
【００１６】
地面からホームベースがあまり出ていない場合は、ホームベース枠に形成された中空部をホームベースに嵌め込んでも、ライン引き作業中にベースボールライン引き補助器具が動く可能性があるが、本発明によれば、右打席バッターボックス枠、左打席バッターボックス枠、またはホームベース枠に固定孔（２個以上）が形成されているので、この固定孔に差込棒を差込むことにより、ベースボールライン引き補助器具が動かないようにグランドに固定することができる。これにより、正確な位置や方向をしたバッターボックスの白線を引くことができる。
【００１７】
本発明のうち第３の態様に係るものは、第１の態様に係るベースボールライン引き補助器具であって、右打席バッターボックス枠および左打席バッターボックス枠は、短辺の横方向の中央部分である横方向中央部で分離し、横方向中央部で分離した右打席バッターボックス枠および左打席バッターボックス枠をそれぞれ下側方向に折曲する横方向中央バッター連結折曲手段により連結され、さらに、長辺の縦方向の上部１／３部分である縦方向上部１／３部で分離し、縦方向上部１／３部で分離した右打席バッターボックス枠および左打席バッターボックス枠をそれぞれ下側方向に折曲する縦方向上部１／３バッター連結折曲手段により連結されるとともに、長辺の縦方向の下部１／３部分である縦方向下部１／３部でも分離し、縦方向下部１／３部で分離した右打席バッターボックス枠および左打席バッターボックス枠をそれぞれ下側方向に折曲する縦方向下部１／３バッター連結折曲手段により連結され、ホームベース枠は、右打席バッターボックスと左打席バッターボックスの間の横方向の中央部で分離し、中央部で分離したホームベース枠を下側方向に折曲する中央ホーム連結折曲手段により連結されるものである。
【００１８】
本発明によれば、右打席バッターボックス枠および左打席バッターボックス枠を横方向中央バッター連結折曲手段、縦方向上部１／３バッター連結折曲手段、縦方向下部１／３バッター連結折曲手段により折り畳み、またホームベース枠を中央ホーム連結折曲手段により折り畳むことにより、ベースボールライン引き補助器具を縦方向約３３％の大きさに、横方向約３０％の大きさにコンパクトに折り畳むことができる。これにより、持ち運びが容易であるとともに、自動車を用いてベースボールライン引き補助器具を移動させる場合でも容易に移動させることができる。
【００１９】
本発明のうち第４の態様に係るものは、第１の態様に係るベースボールライン引き補助器具であって、右打席バッターボックス枠および左打席バッターボックス枠は、短辺の横方向の中央部分である横方向中央部で分離し、横方向中央部で分離した右打席バッターボックス枠および左打席バッターボックス枠をそれぞれ上側方向に折曲する横方向中央バッター連結折曲手段により連結され、さらに、長辺の縦方向の上部１／３部分である縦方向上部１／３部で分離し、縦方向上部１／３部で分離した右打席バッターボックス枠および左打席バッターボックス枠をそれぞれ下側方向に折曲する縦方向上部１／３バッター連結折曲手段により連結されるとともに、長辺の縦方向の下部１／３部分である縦方向下部１／３部でも分離し、縦方向下部１／３部で分離した右打席バッターボックス枠および左打席バッターボックス枠をそれぞれ下側方向に折曲する縦方向下部１／３バッター連結折曲手段により連結され、ホームベース枠は、右打席バッターボックスと左打席バッターボックスの間の横方向の中央部で分離し、中央部で分離したホームベース枠を下側方向に折曲する中央ホーム連結折曲手段により連結され、右打席バッターボックス枠および左打席バッターボックス枠とホームベース枠は、右打席バッターボックス枠および左打席バッターボックス枠とホームベース枠とを分離させて、分離部分に右打席バッターボックス枠および左打席バッターボックス枠を上側方向に折曲させるホームバッター連結折曲手段を配置しているものである。
【００２０】
本発明によれば、右打席バッターボックス枠および左打席バッターボックス枠を横方向中央バッター連結折曲手段、縦方向上部１／３バッター連結折曲手段、縦方向下部１／３バッター連結折曲手段により折り畳み、またホームベース枠を中央ホーム連結折曲手段、ホームバッター連結折曲手段により折り畳むことにより、ベースボールライン引き補助器具を縦方向約３３％の大きさに、横方向約２０％の大きさにコンパクトに折り畳むことができる。これにより、持ち運びが容易であるとともに、自動車を用いてベースボールライン引き補助器具を移動させる場合でも容易に移動させることができる。
【発明の効果】
【００２１】
本発明によれば、ライン引き作業が容易で、かつ正確な位置・方向に真っ直ぐしたバッターボックスの白線を引くことができ、外部から衝撃を受けても破損することなく十分な耐久性を保持することができるとともに、横幅が大きくならずコンパクトな構成で、ベースボールライン引き補助器具の持ち運びも容易になり、バッターボックスラインを引く作業を容易にすることができる。
【図面の簡単な説明】
【００２２】
【図１】（ａ）  本発明の第１実施形態におけるベースボールライン引き補助器具を示す斜視図である。                                                                  （ｂ）  同ベースボールライン引き補助器具の上面図である。                    （ｃ）  図１（ｂ）のＡ−Ａ断面図である。
【図２】本発明の第１実施形態におけるキャッチャーボックス枠と右打席バッターボックス枠および左打席バッターボックス枠との結合方法を示す図である。
【図３】（ａ）  同ベースボールライン引き補助器具が１軸の連結ヒンジにより結合された結合箇所の上面図である。                                                      （ｂ）  同ベースボールライン引き補助器具が１軸の連結ヒンジにより結合された結合箇所の側面図である。                                                      （ｃ）  同ベースボールライン引き補助器具が２軸の連結ヒンジにより結合された結合箇所の上面図である。                                                      （ｄ）  同ベースボールライン引き補助器具が２軸の連結ヒンジにより結合された結合箇所の側面図である。
【図４】同ベースボールライン引き補助器具の折り畳み手順を示す図である。
【図５】（ａ）  同ベースボールライン引き補助器具を用いたライン引きの作業図である。                                                                              （ｂ）  ライン引き器具付近の部分拡大図である。
【図６】（ａ）  本発明の第２実施形態におけるベースボールライン引き補助器具を示す斜視図である。                                                                  （ｂ）  同ベースボールライン引き補助器具の上面図である。                    （ｃ）  図６（ｂ）のＢ−Ｂ断面図である。
【図７】本発明の第２実施形態におけるキャッチャーボックス枠と右打席バッターボックス枠および左打席バッターボックス枠との結合方法を示す図である。
【図８】同ベースボールライン引き補助器具の折り畳み手順を示す図である。
【図９】（ａ）  同ベースボールライン引き補助器具を用いたライン引きの作業図である。                                                                              （ｂ）  ライン引き器具付近の部分拡大図である。
【図１０】本発明の第３実施形態におけるベースボールライン引き補助器具の折り畳み手順を示す図である。
【図１１】本発明の第４実施形態におけるキャッチャーボックス枠と右打席バッターボックス枠および左打席バッターボックス枠の折り畳み手順を示す図である。
【図１２】本発明の第４実施形態におけるホームベース枠と右打席バッターボックス枠および左打席バッターボックス枠との結合方法を示す図である。
【図１３】本発明の変形例１のベースボールライン引き補助器具の折り畳み手順を示す図である。
【図１４】本発明の変形例２のベースボールライン引き補助器具の折り畳み手順を示す図である。
【図１５】本発明の変形例３のベースボールライン引き補助器具の折り畳み手順を示す図である。
【図１６】本発明の変形例４のベースボールライン引き補助器具の折り畳み手順を示す図である。
【図１７】同変形例４のホームベース枠と右打席バッターボックス枠および左打席バッターボックス枠との結合方法を示す図である。
【図１８】（ａ）  本発明の変形例５のベースボールライン引き補助器具を示す斜視図である。                                                                  （ｂ）  同ベースボールライン引き補助器具の上面図である。            （ｃ）  同ベースボールライン引き補助器具の下面図である。            （ｄ）  図１８（ｂ）のＣ−Ｃ断面図である。
【図１９】従来のライン引きゲージ（ベースボールライン引き補助器具）の上面図である。
【発明を実施するための形態】
【００２３】
以下、本発明のベースボールライン引き補助器具の第１実施形態について図面を参照しながら説明する。図１（ａ）は本発明の第１実施形態におけるベースボールライン引き補助器具を示す斜視図であり、図１（ｂ）は同ベースボールライン引き補助器具の上面図であり、図１（ｃ）は図１（ｂ）のＡ−Ａ断面図である。
【００２４】
図１（ａ）および図１（ｂ）に示すように、ベースボールライン引き補助器具１は、プラスチックにより成形された右打席バッターボックス枠２と左打席バッターボックス枠３とホームベース枠４とキャッチャーボックス枠５（図１（ｂ）参照）から構成されている。なお、本実施形態では、キャッチャーボックス枠５を備えたベースボールライン引き補助器具１について説明するが、これに限らず、キャッチャーボックス枠５を備えないベースボールライン引き補助器具１であってもよい。また、本実施形態では、プラスチック製としたが、他の材料（たとえば、鉄、セラミックなど）から成形されるものであってもよい。
【００２５】
右打席バッターボックス枠２は、内周が規則により定められた右打席バッターボックス６（図５（ａ）参照）の外周と略同一で、幅長さを所定の幅長さにして構成されており、また、左打席バッターボックス枠３は内周が規則により定められた左打席バッターボックス７の外周と略同一で、幅長さを所定の幅長さにして構成されている。ここで、規則により定められた右打席バッターボックス６および左打席バッターボックス７とは、たとえば、公認野球規則では横長さ（幅）１２１．９２センチ、縦長さ１８２．８８センチと定められており、またソフトボール規則（オフィシャル・ソフトボール・ルールなど）では横長さ（幅）９１センチ、縦長さ２１３センチと定められている。このように、規則には、硬式野球、軟式野球のみならず、ソフトボールで定められている規則も含まれる。また、所定の幅とは、一般的に右打席バッターボックス６（または、左打席バッターボックス７）の外周からホームベース８（図５（ａ）参照）までの距離（たとえば、１５．２４ｃｍ（公認野球規則））より短い長さであるが、その間隔より長い長さを有するでもよい。
【００２６】
右打席バッターボックス枠２および左打席バッターボックス枠３には、右打席バッターボックス枠２および左打席バッターボックス枠３のそれぞれの内周から所定の長さ離れたところに全周に渡って溝状のライン引き車輪レール９が形成されている。このライン引き車輪レール９は、ライン引き器具（石灰入り）の車輪（外側車輪）を載せて、バッターボックスライン（白線）を１回のライン引き作業で真っ直ぐ引けるようにするものである。ライン引き車輪レール９の深さはライン引き器具の車輪を載せて、脱輪しない程度の深さにしている（図１（ｃ）参照）。このライン引き車輪レール９が形成されている右打席バッターボックス枠２および左打席バッターボックス枠３の内周から所定の長さ離れたところというのは、ライン引き車輪レール９にライン引き器具（石灰入り）の車輪（外側車輪）を載せて、バッターボックスライン（白線）を引く際に、ライン引き器具（石灰入り）によりバッターボックス枠２、３の内周に沿って、バッターボックスライン（白線）が引けるところである。すなわち、ライン引き器具（石灰入り）によりバッターボックスライン（白線）を引く際に、バッターボックス枠２、３の上部にライン引き器具から排出される石灰が載らず、さらに、ライン引き器具から排出される石灰とバッターボックス枠２、３の間に隙間がないように、ライン引き車輪レール９を設けるのが最適である。なお、本実施形態では、ライン引き車輪レール９を右打席バッターボックス枠２および左打席バッターボックス枠３の全周に渡って形成させたが、必ずしも全周でなくともよく、周方向に渡って形成させるものであればよい。
【００２７】
また、右打席バッターボックス枠２および左打席バッターボックス枠３は、上部と下部の短辺の横方向の中央部分である横方向中央部１０で分離されているとともに、左右の長辺の縦方向の上部１／３部分である縦方向上部１／３部１１およびその左右の長辺の縦方向の下部１／３部分である縦方向下部１／３部１２でも分離されている。そして、この横方向中央部１０、縦方向上部１／３部１１、および縦方向下部１／３部１２でそれぞれ分離した右打席バッターボックス枠２および左打席バッターボックス枠３は、上側方向に折曲する横方向中央バッター連結ヒンジ（横方向中央バッター連結折曲手段）１３、上側方向に折曲する縦方向上部１／３バッター連結ヒンジ（縦方向上部１／３バッター連結折曲手段）１４、および上側方向に折曲する縦方向下部１／３バッター連結ヒンジ（縦方向下部１／３バッター連結折曲手段）１５によりそれぞれ連結させている。この縦方向上部１／３バッター連結ヒンジ１４および縦方向下部１／３バッター連結ヒンジ１５は、ホームベース枠４の上辺の延長方向位置および下辺の延長方向位置と略同一位置に取り付けられている。ここで、上側方向に折曲とは、一方の部材に対し折り返された部材が上側から重なる曲げ方をいう。なお、本実施形態では、右打席バッターボックス枠２および左打席バッターボックス枠３をそれぞれ分離している態様で説明しているが、これに限らず、右打席バッターボックス枠２および左打席バッターボックス枠３を分離させず、完全一体として形成してもよい。また、本実施形態では、バッター連結折曲手段（横方向中央バッター連結折曲手段１３、縦方向上部１／３バッター連結折曲手段１４、縦方向下部１／３バッター連結折曲手段１５）として、バッター連結ヒンジ（横方向中央バッター連結ヒンジ１３、縦方向上部１／３バッター連結ヒンジ１４、縦方向下部１／３バッター連結ヒンジ１５）を用いて説明したが、これに限らず、ヒンジに代えてカーボンシートなどを用いてもよい。すなわち、バッター連結折曲手段は、バッターボックス枠の分離部分を連結させ、その連結部分を上側方向（または下側方向）に折曲させる機能を有するものであれば足りる。
【００２８】
ホームベース枠４は、右打席バッターボックス枠２および左打席バッターボックス枠３と分離せず、完全一体として形成されている。なお、本実施形態では、右打席バッターボックス枠２および左打席バッターボックス枠３とホームベース枠４とを完全一体として形成したが、これに限らず、第３実施形態で説明するように、右打席バッターボックス枠２および左打席バッターボックス枠３とホームベース枠４を分離させて、そこに右打席バッターボックス枠２および左打席バッターボックス枠３を下側方向に折曲させるホームバッター連結ヒンジを設けて一体に構成してもよい。このようにすることにより、ホームベースの横幅分をさらにコンパクトに折り畳むことができる。また、ホームベース枠４には、ホームベース８の全外周と接する中空部１６が形成されている。このホームベース枠４に形成された中空部１６にホームベース８（図５（ａ）参照）を嵌め込むことにより、ベースボールライン引き補助器具１とホームベース８との位置関係および方向が固定される。なお、本実施形態では、ホームベース枠４にホームベース８の全外周と接する中空部１６を形成したが、これに限らず、ホームベース８の２辺以上の部分と接するホームベース係合部（図示略）を形成させてもよい。このように、ホームベース８の２辺以上の部分と接するホームベース係合部（図示略）であっても、ベースボールライン引き補助器具１とホームベース８との位置関係および方向が固定されることができる。
【００２９】
また、ホームベース枠４は、右打席バッターボックス６と左打席バッターボックス７の間の中央部１７で分離されている。そして、この中央部１７でそれぞれ分離したホームベース枠４を上側方向に折曲する中央ホーム連結ヒンジ（中央ホーム連結折曲手段）１８により連結させている。なお、ホームベース枠４の上部および下部には、固定孔１９が設けられている。この固定孔１９は、地面からホームベース８があまり出ていない場合など、ホームベース枠４の中空部１６にホームベース８（図５（ａ）参照）を嵌め込んでも、ライン引き作業中にベースボールライン引き補助器具１が動く可能性がある場合に使用するものである。すなわち、この固定孔１９に後述する差込棒を差込むことにより、ベースボールライン引き補助器具１がグランドに完全に固定され、動かなくすることができる。なお、本実施形態では、ホームベース枠４に固定孔１９を４個設けたが、これに限らず、右打席バッターボックス枠２、左打席バッターボックス枠３、またはホームベース枠４の少なくとも１つに固定孔が２個以上形成されるようにしてもよい。すなわち、右打席バッターボックス枠２、左打席バッターボックス枠３、またはホームベース枠４の同一部材に固定孔１９を２個以上設けてもよく、また、異なる部材に設けた固定孔１９の合計個数が２個以上であってもよい。また、本実施形態では、中央ホーム連結折曲手段として、中央ホーム連結ヒンジ１８を用いて説明したが、これに限らず、ヒンジに代えてカーボンシートなどを用いてもよい。すなわち、中央ホーム連結折曲手段は、ホームベース枠４の分離部分を連結させ、その連結部分を上側方向（または下側方向）に折曲させる機能を有するものであれば足りる。
【００３０】
キャッチャーボックス枠５は、内周が規則により定められたキャッチャーボックス２０（図５（ａ）参照）の外周と略同一で、幅長さを右打席バッターボックス枠２および左打席バッターボックス枠３と略同一の幅長さにして構成されている。ここで、規則により定められたキャッチャーボックス２０とは、たとえば、公認野球規則では、ホームベース８の先端からキャッチャーボックス後方外周までの長さ２４３．８４センチ、バッターボックス６、７のホームベース８側外周からキャッチャーボックス２０内周までの長さ１７．７８センチと定められている。
【００３１】
キャッチャーボックス枠５にも、右打席バッターボックス枠２および左打席バッターボックス枠３と同様、キャッチャーボックス枠５の内周から所定の長さ離れたところに周方向に渡ってライン引き車輪レール９が形成されている。このライン引き車輪レール９は、ライン引き器具（石灰入り）の車輪（外側車輪）を載せて、キャッチャーボックスライン（白線）を１回のライン引き作業で真っ直ぐ引けるようにするものである。このライン引き車輪レール９が形成されているキャッチャーボックス枠５の内周から所定の長さ離れたところというのは、右打席バッターボックス枠２および左打席バッターボックス枠３と同様、ライン引き車輪レール９にライン引き器具（石灰入り）の車輪（外側車輪）を載せて、キャッチャーボックスライン（白線）を引く際に、ライン引き器具（石灰入り）によりキャッチャーボックス枠５の内周に沿って、キャッチャーボックスライン（白線）が引けるところである。すなわち、ライン引き器具（石灰入り）によりキャッチャーボックスライン（白線）を引く際に、できる限りキャッチャーボックス枠５の上部にライン引き器具から排出される石灰が載らず、さらに、ライン引き器具から排出される石灰とキャッチャーボックス枠５の間に隙間がないように、ライン引き車輪レール９を設けるのが最適である。
【００３２】
次に、キャッチャーボックス枠５と右打席バッターボックス枠２および左打席バッターボックス枠３の結合方法について、図２を参照しながら説明する。図２は、本発明の第１実施形態におけるキャッチャーボックス枠と右打席バッターボックス枠および左打席バッターボックス枠との結合方法を示す図である。
【００３３】
キャッチャーボックス枠５にはバッターキャッチャー連結凸部２１が設けられ、また、右打席バッターボックス枠２および左打席バッターボックス枠３にはバッターキャッチャー連結凸部２１の凸形状と同形状の凹形状が形成されているバッターキャッチャー連結凹部２２が設けられている。そして、この右打席バッターボックス枠２および左打席バッターボックス枠３に設けられたバッターキャッチャー連結凹部２２の下部からキャッチャーボックス枠５に設けられたバッターキャッチャー連結凸部２１を係合させることにより、キャッチャーボックス枠５と右打席バッターボックス枠２および左打席バッターボックス枠３が結合される。これにより、キャッチャーボックス枠５と右打席バッターボックス枠２および左打席バッターボックス枠３が着脱可能に結合する。
【００３４】
次に、ベースボールライン引き補助器具の連結ヒンジ部分について図３を参照しながら説明する。ここで、図３（ａ）は本発明の第１実施形態におけるベースボールライン引き補助器具が１軸の連結ヒンジにより結合された結合箇所の上面図であり、図３（ｂ）は同ベースボールライン引き補助器具が１軸の連結ヒンジにより結合された結合箇所の側面図であり、図３（ｃ）は同ベースボールライン引き補助器具が２軸の連結ヒンジにより結合された結合箇所の上面図であり、図３（ｄ）は同ベースボールライン引き補助器具が２軸の連結ヒンジにより結合された結合箇所の側面図である。
【００３５】
横方向中央バッター連結ヒンジ１３、縦方向上部１／３バッター連結ヒンジ１４、および中央ホーム連結ヒンジ１８の連続ヒンジについては、図３（ａ）および図３（ｂ）に示す１軸の連続ヒンジが用いられ、また、縦方向下部１／３バッター連結ヒンジ１５については、図３（ｃ）および図３（ｄ）に示す２軸の連続ヒンジが用いられている。これは、後述するように、ベースボールライン引き補助器具１を折り畳む際に、縦方向下部１／３バッター連結ヒンジ１５については、右打席バッターボックス枠２および左打席バッターボックス枠３の厚みの２倍の厚み分を折り返さなければならないからである。なお、本実施形態では、縦方向上部１／３バッター連結ヒンジ１４を図３（ａ）および図３（ｂ）に示す１軸の連続ヒンジとし、また、縦方向下部１／３バッター連結ヒンジ１５を図３（ｃ）および図３（ｄ）に示す２軸の連続ヒンジとしたが、これに限らず、縦方向下部１／３バッター連結ヒンジ１５を図３（ａ）および図３（ｂ）に示す１軸の連続ヒンジとし、また、縦方向上部１／３バッター連結ヒンジ１４を図３（ｃ）および図３（ｄ）に示す２軸の連続ヒンジとしてもよい（他の実施形態も同様）。まず、１軸の連結ヒンジについて説明し、その後に２軸の連結ヒンジについて説明する。なお、１軸の連結ヒンジおよび２軸の連結ヒンジの共通部分については、両者を併せて説明する。
【００３６】
図１に示すように、連結ヒンジ（横方向中央バッター連結ヒンジ１３、縦方向上部１／３バッター連結ヒンジ１４、縦方向下部１／３バッター連結ヒンジ１５）はライン引き車輪レール９を挟んで左右に設けられ、中央ホーム連結ヒンジ１８については中空部１６の横中央上下に設けられている。これら連結ヒンジは、左右のネジ孔２３にネジ２４を通すことにより、それぞれの枠（右打席バッターボックス枠２、左打席バッターボックス枠３、ホームベース枠４、キャッチャーボックス枠５）に取り付けられる。なお、本実施形態では、ネジで取り付けることにしたが、溶接（枠が金属製の場合）や接着材により取り付けるようにしてもよい。
【００３７】
図３（ａ）および図３（ｂ）に示すように、それぞれ枠（右打席バッターボックス枠２、左打席バッターボックス枠３、ホームベース枠４、キャッチャーボックス枠５）の分離部分の一方に取り付けられている連続ヒンジ（１軸）の部分には左右にヒンジ中空部２５ａが形成され、また分離部分の他方に取り付けられている連続ヒンジ（１軸）の部分にはヒンジ中空部２５ａに挟まれ取り付けられるヒンジ中空部２５ｂが形成されている。そして、そのヒンジ中空部２５ａおよびヒンジ中空部２５ｂには棒状部２６（連続ヒンジの一部）が挿入される構造になっている。そのようにして、棒状部２６がヒンジ中空部２５ａおよびヒンジ中空部２５ｂ内を回動することにより、それぞれの枠（右打席バッターボックス枠２、左打席バッターボックス枠３、ホームベース枠４、キャッチャーボックス枠５）が分離部分において折曲可能となる。ここで、１軸の連結ヒンジの「１軸」というのは１つの棒状部２６を軸として回動することである。
【００３８】
２軸の連続ヒンジについても折曲の仕組みは１軸の連続ヒンジと同じであるが、２軸の連続ヒンジについてはヒンジ中空部２５ａおよびヒンジ中空部２５ｂと棒状部２６が２箇所設けられている（図３（ｃ）および図３（ｄ）参照）。ここで、２軸の連結ヒンジは、連結ヒンジの左右部分と、それらに挟まれ取り付けられる板状部２７を有している。そして、右打席バッターボックス枠２および左打席バッターボックス枠３の分離部分（縦方向下部１/３部１２）を連結する連続ヒンジの左右部分（図３（ｃ）および図３（ｄ）参照）にはヒンジ中空部２５ｂが形成され、板状部２７にはヒンジ中空部２５ｂを挟んで取り付けられるヒンジ中空部２５ａが形成されている。そして、そのヒンジ中空部２５ａおよびヒンジ中空部２５ｂには棒状部２６（連続ヒンジの一部）が挿入される構造になっている。ここで、このヒンジ中空部２５ｂが形成された連続ヒンジの左右部分の間の板状部２７の幅長さは、右打席バッターボックス枠２および左打席バッターボックス枠３の厚み長さと略同一長さである。このようにして、棒状部２６がヒンジ中空部２５ａおよびヒンジ中空部２５ｂ内を回動することにより、板状部２７を挟んで、右打席バッターボックス枠２および左打席バッターボックス枠３が分離部分において折曲可能となる。なお、本実施形態では、右打席バッターボックス枠２と左打席バッターボックス枠３の分離部分と連結する連続ヒンジの左右部分にヒンジ中空部２５ｂを形成し、また、そのヒンジ中空部２５ｂが形成された連続ヒンジの左右部分の間の板状部２７にヒンジ中空部２５ａを形成したが、板状部２７にヒンジ中空部２５ｂを形成し、そのヒンジ中空部２５ｂが形成された板状部２７の連続ヒンジの両端部分にヒンジ中空部２５ａを形成してよい。
【００３９】
次に、本実施形態におけるベースボールライン引き補助器具の折り畳み手順について図４を参照しながら説明する。図４は本発明の第１実施形態におけるベースボールライン引き補助器具の折り畳み手順を示す図である。なお、本実施形態では、ベースボールライン引き補助器具１の折り畳みは、ベースボールライン引き補助器具１からキャッチャーボックス枠５が取り外した状態で行われる。
【００４０】
まず、右打席バッターボックス枠２および左打席バッターボックス枠３の長辺の縦方向の上部１／３部分である縦方向上部１／３部１１の縦方向上部１／３バッター連結ヒンジ１４に対して、縦方向上部１／３部１１で結合された右打席バッターボックス枠２および左打席バッターボックス枠３の外側の部位を上側に回動させて折り曲げて重ねる（図４（ａ）参照）。
【００４１】
次に、右打席バッターボックス枠２および左打席バッターボックス枠３の長辺の縦方向の下部１／３部分である縦方向下部１／３部１２の縦方向下部１／３バッター連結ヒンジ１５に対して、縦方向下部１／３部１２で結合された右打席バッターボックス枠２および左打席バッターボックス枠３の外側の部位を上側に回動させて折り曲げて重ねる。（図４（ｂ）参照）。これにより、右打席バッターボックス枠２および左打席バッターボックス枠３の縦方向の長さが１/３の長さになる。
【００４２】
次に、右打席バッターボックス枠２および左打席バッターボックス枠３の短辺の横方向の中央部分である横方向中央部１０の横方向中央バッター連結ヒンジ１３に対して、横方向中央部１０で結合された右打席バッターボックス枠２および左打席バッターボックス枠３の外側の部位を上記折り曲げた状態で下側に回動させて折り曲げて重ねる（図４（ｃ）参照）。これにより、右打席バッターボックス枠２および左打席バッターボックス枠３の横方向の長さが１/２の長さになる。
【００４３】
次に、ホームベース枠４の横方向の中央部分（右打席バッターボックス６と左打席バッターボックス７の間の横方向の中央部）で中央ホーム連結ヒンジ１８に対して、中央部分で結合されたホームベース枠４を折り曲げて重ねる。（図４（ｄ）参照）。これにより、ホームベース枠４の横方向の長さが１/２の長さになる。
【００４４】
このように、右打席バッターボックス枠２および左打席バッターボックス枠３を横方向中央バッター連結ヒンジ１３、縦方向上部１／３バッター連結ヒンジ１４、縦方向下部１／３バッター連結ヒンジ１５により折り畳み、またホームベース枠４を中央ホーム連結ヒンジ１８により折り畳むことにより、ベースボールライン引き補助器具１を縦方向約３３％の大きさに、横方向約３０％の大きさにコンパクトに折り畳むことができる。これにより、持ち運びが容易であるとともに、自動車を用いてベースボールライン引き補助器具１を移動させる場合でも容易に移動させることができる。
【００４５】
次に、本実施形態におけるベースボールライン引き補助器具を用いたライン引き作業について図５を参照しながら説明する。図５は本発明の第１実施形態におけるベースボールライン引き補助器具を用いたライン引きの作業図である。
【００４６】
図５に示すように、グランドに設置されているホームベース８の上部からベースボールライン引き補助器具１のホームベース枠４の中空部１６を嵌め込む（ベースボールライン引き補助器具載置工程）。ここで、ホームベース枠４の中空部１６はホームベース８と略同一形状であるので、このホームベース枠４の中空部１６をホームベース８に嵌め込むことにより、ホームベース８の全外周にホームベース枠４の中空部１６が接することになる。これにより、ホームベース８の位置・方向に沿ってベースボールライン引き補助器具１が設置されることになる。
【００４７】
次に、ホームベース枠４に設けられた固定孔１９に差込棒２８を差込む（ベースボールライン引き補助器具固定工程）。この差込棒２８の先端は尖がった形状をしており、差込棒２８を固定孔１９に差込むことにより、ベースボールライン引き補助器具１が地面に完全に固定される。これは、地面からホームベース８があまり出ていない場合に有効である。すなわち、地面からホームベース８があまり出ていない場合は、ホームベース枠４に形成された中空部１６をホームベース８に嵌め込んでも、ライン引き作業中にベースボールライン引き補助器具１が動く可能性があるが、このような場合でも、差込棒２８を固定孔１９に差込むことにより、ベースボールライン引き補助器具１が動かないようにグランドに完全に固定することができる。これにより、バッターボックス６、７の白線を正確な位置や方向で引くことができる。なお、固定孔１９が右打席バッターボックス枠２または左打席バッターボックス枠３に形成されている場合は、その固定孔１９に差込棒２８が差込まれる。ここで、ホームベース枠４に形成された中空部１６をホームベース８に嵌め込むことにより、ライン引き作業中にベースボールライン引き補助器具１が動く可能性がない場合は、ホームベース枠４に設けられた固定孔１９に差込棒２８を差込む必要はなく、また、固定孔１９がないベースボールライン引き補助器具１を使用するようにしてもよい。
【００４８】
次に、ライン引き器具２９の外側車輪をライン引き車輪レール９の上部に載せて、ライン引き器具２９を右打席バッターボックス枠２および左打席バッターボックス枠３の全周に渡って走行させる（バッターボックスライン引き工程）。ここで、本実施形態では、右打席バッターボックス枠２および左打席バッターボックス枠３のライン引き車輪レール９は、ライン引き器具２９を用いてバッターボックスラインが引かれる際に、ライン引き器具２９から排出される石灰がバッターボックス枠２、３の内側に接するところに形成されているので、ライン引き器具２９を右打席バッターボックス枠２および左打席バッターボックス枠３の全周に渡って走行させることにより、右打席バッターボックス枠２および左打席バッターボックス枠３の内側にバッターボックスライン（白線）を真っ直ぐ引くことができる（図５（ｂ）参照）。
【００４９】
このように、右打席バッターボックス枠２および左打席バッターボックス枠３のそれぞれの内周から所定の長さ離れたところに全周に渡ってライン引き車輪レール９が形成されているので、作業者はライン引き器具２９（石灰入り）の外側車輪をライン引き車輪レール９の内周に沿って移動させることにより、右打席バッターボックス６および左打席バッターボックス７の白線を一回のライン引きで、真っ直ぐした白線を引くことができる。また、ホームベース枠４に形成された中空部１６をホームベース８に嵌め込む（また、さらにホームベース枠４に設けられた固定孔１９に差込棒２８を差込む）ことにより、ライン引き作業中にベースボールライン引き補助器具１が動くことがなく、正確な位置や方向をした右打席バッターボックス６および左打席バッターボックス７の白線を引くことができる。これにより、ライン引き作業が容易で、かつ正確な位置・方向に真っ直ぐしたバッターボックスの白線を引くことができる。
【００５０】
次に、上述したバッターボックスと同様、ライン引き器具２９の外側車輪をキャッチャーボックス枠５のライン引き車輪レール９の上部に載せて、ライン引き器具２９をキャッチャーボックス枠５の周方向に渡って走行させる（キャッチャーボックスライン引き工程（図示略））。ここで、本実施形態では、上述したバッターボックスと同様、キャッチャーボックス枠５のライン引き車輪レール９は、ライン引き器具２９を用いてキャッチャーボックスラインが引かれる際に、ライン引き器具２９から排出される石灰がキャッチャーボックス枠５の内側に接するところに形成されているので、ライン引き器具２９をキャッチャーボックス枠５の周方向に渡って走行させることにより、キャッチャーボックス枠５の内側にキャッチャーボックスライン（白線）を真っ直ぐ引くことができる。
【００５１】
次に、右打席バッターボックス枠２に描かれている三塁ライン線３０および左打席バッターボックス枠３に描かれている一塁ライン線３１のそれぞれの両端位置のグランドに、ラインマークの印をつける。そして、ホームベース枠４に設けられた固定孔１９から差込棒２８を取り外し、ベースボールライン引き補助器具１を折り畳む（図４参照）。なお、この三塁ライン線３０および一塁ライン線３１は、バッターボックス（右打席バッターボックス６および左打席バッターボックス７）の白線を引いた後、一塁側ラインおよぶ三塁側ラインを引く際に、ホームベース８の先端部とこの三塁ライン線３０および一塁ライン線３１をロープで結び、そのロープに沿ってライン引き器具２９を用いて、一塁側ラインおよぶ三塁側ラインの白線が引かれる。このように、一塁側ラインおよぶ三塁側ラインについては、バッターボックス６、７と異なり、それ程正確さを必要としないので、上記の方法で一塁側ラインおよぶ三塁側ラインが引かれる。なお、本実施形態では、石灰を用いて白線を引くことにしたが、これに限らず、石灰以外で白線を引くようにしてもよい。ここで、本実施形態では、説明の便宜上、三塁側ラインおよび一塁側ラインが引かれた状態で図５（ａ）を図示している。
【００５２】
次に、本発明のベースボールライン引き補助器具の第２実施形態について図面を参照しながら説明する。図６（ａ）は本発明の第２実施形態におけるベースボールライン引き補助器具を示す斜視図であり、図６（ｂ）は同ベースボールライン引き補助器具の上面図であり、図６（ｃ）は図６（ｂ）のＢ−Ｂ断面図である。図７は本発明の第２実施形態におけるキャッチャーボックス枠と右打席バッターボックス枠および左打席バッターボックス枠との結合方法を示す図である。図８は同ベースボールライン引き補助器具の折り畳み手順を示す図である。また、図９（ａ）は同ベースボールライン引き補助器具を用いたライン引きの作業図であり、図９（ｂ）はライン引き器具付近の部分拡大図である。
【００５３】
本発明の第２実施形態と第１実施形態の異なるところは、第１実施形態のベースボールライン引き補助器具１では右打席バッターボックス枠２および左打席バッターボックス枠３に溝状のライン引き車輪レール９を形成したが、第２実施形態では右打席バッターボックス枠２および左打席バッターボックス枠３の外周ラインをライン引き車輪レール３９としたところが異なる。なお、第２実施形態においては、第１実施形態と異なるところを中心に説明する。また、第２実施形態では、第１実施形態と同一構成（近似構成も含む）については、同一符号を用い、同一作用効果を奏するものとし説明は省略する。
【００５４】
右打席バッターボックス枠３２は、内周が規則により定められた右打席バッターボックス６（図９（ａ）参照）の外周と略同一で、幅長さを所定の幅長さにして構成されており、また、左打席バッターボックス枠３３は内周が規則により定められた左打席バッターボックス７（図９（ａ）参照）の外周と略同一で、幅長さを所定の幅長さにして構成されている。
【００５５】
本実施形態のライン引き車輪レール３９は、右打席バッターボックス枠３２および左打席バッターボックス枠３３の外周ラインにより構成されている。すなわち、右打席バッターボックス枠３２および左打席バッターボックス枠３３の内周から所定の長さ離れた外周ラインにより周方向に渡ってライン引き車輪レール３９を構成している。なお、図６に示すように、右打席バッターボックス枠３２および左打席バッターボックス枠３３とホームベース枠３４の間のライン引き車輪レール３９については、第１実施形態と同様の溝状のライン引き車輪レール３９が形成されている。すなわち、右打席バッターボックス枠３２および左打席バッターボックス枠３３とホームベース枠３４の間には、右打席バッターボックス枠３２および左打席バッターボックス枠３３のそれぞれの内周から所定の長さ離れたところに周方向に渡って溝状のライン引き車輪レール３９が形成されている。そして、このライン引き車輪レール３９にライン引き器具２９（石灰入り）の車輪（外側車輪）を沿わせて、バッターボックスライン６、７（白線）を１回のライン引き作業で真っ直ぐ引けるようにしている（図９参照）。このライン引き車輪レール３９が形成されている右打席バッターボックス枠３２および左打席バッターボックス枠３３の内周から所定の長さ離れたところというのは、ライン引き車輪レール３９にライン引き器具２９（石灰入り）の車輪（外側車輪）を沿わせて、バッターボックスライン６、７（白線）を引く際に、ライン引き器具２９（石灰入り）によりバッターボックス枠３２、３３の内周に沿って、バッターボックスライン（白線）が引けるところである。すなわち、ライン引き器具２９（石灰入り）によりバッターボックスライン６、７（白線）を引く際に、バッターボックス枠３２、３３の上部にライン引き器具２９から排出される石灰が載らず、さらに、ライン引き器具２９から排出される石灰とバッターボックス枠３２、３３の間に隙間がないように、ライン引き車輪レール３９を設けるのが最適である。なお、本実施形態では、ライン引き車輪レール３９を右打席バッターボックス枠３２および左打席バッターボックス枠３３の全周に渡って形成させたが、必ずしも全周でなくともよく、周方向に渡って形成させるものであればよいのは、第１実施形態と同様である。
【００５６】
キャッチャーボックス枠３５についても、内周が規則により定められたキャッチャーボックス２０（図９（ａ）参照）の外周と略同一で、幅長さを右打席バッターボックス枠３２および左打席バッターボックス枠３３と略同一の幅長さにして構成されている。
【００５７】
本実施形態のキャッチャーボックス枠３５のライン引き車輪レール３９は、右打席バッターボックス枠３２および左打席バッターボックス枠３３と同様、キャッチャーボックス枠３５の外周ラインにより構成されている。すなわち、キャッチャーボックス枠３５の内周から所定の長さ離れた外周ラインにより周方向に渡ってライン引き車輪レール３９を構成している。このライン引き車輪レール３９は、第１実施形態と同様、ライン引き器具２９（石灰入り）の車輪（外側車輪）を沿わせて、キャッチャーボックスライン２０（白線）を１回のライン引き作業で真っ直ぐ引けるようにするものである。このライン引き車輪レール３９が形成されているキャッチャーボックス枠３５の内周から所定の長さ離れたところというのは、右打席バッターボックス枠３２および左打席バッターボックス枠３３と同様、ライン引き車輪レール３９にライン引き器具２９（石灰入り）の車輪（外側車輪）を沿わせて、キャッチャーボックスライン２０（白線）を引く際に、ライン引き器具２９（石灰入り）によりキャッチャーボックス枠３５の内周に沿って、キャッチャーボックスライン２０（白線）が引けるところである。すなわち、ライン引き器具２９（石灰入り）によりキャッチャーボックスライン２０（白線）を引く際に、できる限りキャッチャーボックス枠３５の上部にライン引き器具２９から排出される石灰が載らず、さらに、ライン引き器具２９から排出される石灰とキャッチャーボックス枠３５の間に隙間がないように、ライン引き車輪レール３９を設けるのが最適である。その他、キャッチャーボックス枠３５と右打席バッターボックス枠３２および左打席バッターボックス枠３３との結合方法（図７参照）や、ベースボールライン引き補助器具４１の折り畳み手順（図８参照）などについては、第１実施形態とほぼ同様で図面から容易に理解できるので、説明は省略する。
【００５８】
次に、本発明のベースボールライン引き補助器具の第３実施形態について図面を参照しながら説明する。図１０は、本発明の第３実施形態におけるベースボールライン引き補助器具の折り畳み手順を示す図である。
【００５９】
本発明の第３実施形態と第１実施形態および第２実施形態の異なるところは、第１実施形態および第２実施形態では、右打席バッターボックス枠２および左打席バッターボックス枠３の横方向中央部１０に設けられた横方向中央バッター連結ヒンジ１３を横方向中央部１０で分離した右打席バッターボックス枠２および左打席バッターボックス枠３を上側方向に折曲できるように配置させ、またホームベース枠４と右打席バッターボックス枠２および左打席バッターボックス枠３とは分離せず完全一体として形成させたが、第３実施形態では、右打席バッターボックス枠２および左打席バッターボックス枠３の横方向中央部１０に設けられた横方向中央バッター連結ヒンジ４３を横方向中央部１０で分離した右打席バッターボックス枠２および左打席バッターボックス枠３を下側方向に折曲できるように配置させ、また右打席バッターボックス枠２および左打席バッターボックス枠３とホームベース枠４を分離させて、そこに右打席バッターボックス枠２および左打席バッターボックス枠３を下側方向に折曲させるホームバッター連結ヒンジ４４を配置させたところが異なる。すなわち、第３実施形態では、右打席バッターボックス枠２および左打席バッターボックス枠３は、短辺の横方向の中央部分である横方向中央部１０で分離し、その横方向中央部１０で分離した右打席バッターボックス枠２および左打席バッターボックス枠３をそれぞれ下側方向に折曲する横方向中央バッター連結ヒンジ（横方向中央バッター連結折曲手段）４３により連結され、さらに、長辺の縦方向の上部１／３部分である縦方向上部１／３部１１で分離し、その縦方向上部１／３部１１で分離した右打席バッターボックス枠２および左打席バッターボックス枠３をそれぞれ上側方向に折曲する縦方向上部１／３バッター連結ヒンジ（縦方向上部１／３バッター連結折曲手段）１４により連結されるとともに、長辺の縦方向の下部１／３部分である縦方向下部１／３部１２でも分離し、その縦方向下部１／３部１２で分離した右打席バッターボックス枠２および左打席バッターボックス枠３をそれぞれ上側方向に折曲する縦方向下部１／３バッター連結ヒンジ（縦方向下部１／３バッター連結折曲手段）１５により連結され、ホームベース枠４は、右打席バッターボックス２と左打席バッターボックス３の間の横方向の中央部１７で分離し、その中央部１７で分離したホームベース枠４を上側方向に折曲する中央ホーム連結ヒンジ（中央ホーム連結折曲手段）１８により連結され、右打席バッターボックス枠２および左打席バッターボックス枠３とホームベース枠４は、右打席バッターボックス枠２および左打席バッターボックス枠３とホームベース枠４とを分離させて、その分離部分に右打席バッターボックス枠２および左打席バッターボックス枠３を下側方向に折曲させるホームバッター連結ヒンジ（ホームバッター連結折曲手段）４４を配置している。ここで、横方向中央バッター連結ヒンジ４３は、バッターボックス枠（右打席バッターボックス枠２、左打席バッターボックス枠３）の裏側で第１実施形態の横方向中央バッター連結ヒンジ１３と表裏逆の同様の位置に設けられ、また、ホームバッター連結ヒンジ４４はホームベース枠４の中空部の上方部左右と下方部左右に設けられている。なお、第３実施形態においては、第１実施形態のベースボールライン引き補助器具１を用いて説明するが、第２実施形態のベースボールライン引き補助器具４１の折り畳み手順についても同様であるので説明は省略する。
【００６０】
まず、右打席バッターボックス枠２および左打席バッターボックス枠３の長辺の縦方向の上部１／３部分である縦方向上部１／３部１１の縦方向上部１／３バッター連結ヒンジ１４に対して、縦方向上部１／３部１１で結合された右打席バッターボックス枠２および左打席バッターボックス枠３の外側の部位を上側に回動させて折り曲げて重ねる（図１０（ａ）参照）。これにより、右打席バッターボックス枠２および左打席バッターボックス枠３の縦方向の長さが１/３の長さになる。これは第１実施形態と同様である。
【００６１】
次に、右打席バッターボックス枠２および左打席バッターボックス枠３の長辺の縦方向の下部１／３部分である縦方向下部１／３部１２の縦方向下部１／３バッター連結ヒンジ１５に対して、縦方向下部１／３部１２で結合された右打席バッターボックス枠２および左打席バッターボックス枠３の外側の部位を上側に回動させて折り曲げて重ねる。（図４（ｂ）参照）。これも第１実施形態と同様である。
【００６２】
次に、右打席バッターボックス枠２および左打席バッターボックス枠３の短辺の横方向の中央部分である横方向中央部１０の横方向中央バッター連結ヒンジ４３に対して、横方向中央部１０で結合された右打席バッターボックス枠２および左打席バッターボックス枠３の外側の部位を上記折り曲げた状態で上側に回動させて折り曲げて重ねる（図１０（ｃ）参照）。これにより、右打席バッターボックス枠２および左打席バッターボックス枠３の横方向の長さが１/２の長さになる。
【００６３】
次に、ホームベース枠４の横方向の中央部分（右打席バッターボックス６と左打席バッターボックス７の間の横方向の中央部）で中央ホーム連結ヒンジ１８に対して、中央部分で結合されたホームベース枠４を折り曲げて重ねるとともに、右打席バッターボックス枠２および左打席バッターボックス枠３とホームベース枠４の分離部分であるホームバッター接触部のホームバッター連結ヒンジ４４に対して、ホームバッター接触部で結合された右打席バッターボックス枠２および左打席バッターボックス枠３の外側の部位を下側に回動させて折り曲げて重ねる（図１０（ｄ）参照）。これにより、ホームベース枠４がバッターボックス枠２、３の内側に重ね合わされ、さらにベースボールライン引き補助器具５１をコンパクトに折り畳むことができる（図１０（ｅ）参照）。
【００６４】
このように、右打席バッターボックス枠２および左打席バッターボックス枠３を横方向中央バッター連結ヒンジ４３、縦方向上部１／３バッター連結ヒンジ１４、縦方向下部１／３バッター連結ヒンジ１５により折り畳み、またホームベース枠４を中央ホーム連結ヒンジ１８、ホームバッター連結ヒンジ４４により折り畳むことにより、ベースボールライン引き補助器具５１を縦方向約３３％の大きさに、横方向約２０％の大きさにコンパクトに折り畳むことができる。これにより、持ち運びが容易であるとともに、自動車を用いてベースボールライン引き補助器具５１を移動させる場合でも容易に移動させることができる。
【００６５】
次に、本発明のベースボールライン引き補助器具の第４実施形態について図面を参照しながら説明する。図１１は本発明の第４実施形態におけるキャッチャーボックス枠と右打席バッターボックス枠および左打席バッターボックス枠の折り畳み手順を示す図であり、図１２は同実施形態におけるホームベース枠と右打席バッターボックス枠および左打席バッターボックス枠との結合方法を示す図である。
【００６６】
本発明の第４実施形態と第１実施形態の異なるところは、第１実施形態のベースボールライン引き補助器具１では、ホームベース枠４は右打席バッターボックス２と左打席バッターボックス３の間の横方向の中央部で分離し、その中央部で分離したホームベース枠４を上側方向に折曲する中央ホーム連結ヒンジ１８により連結し、かつホームベース枠４は右打席バッターボックス枠２および左打席バッターボックス枠３と分離せず完全一体として形成されているのに対し、第４実施形態では、ホームベース枠４は右打席バッターボックス２と左打席バッターボックス３の間の横方向の中央部で分離せず、かつホームベース枠４は右打席バッターボックス枠２および左打席バッターボックス枠３と分離しているところが異なる。すなわち、第４実施形態では、内周が規則により定められた右打席バッターボックスの外周と略同一で、幅長さを所定の幅長さにして構成された右打席バッターボックス枠２と、内周が規則により定められた左打席バッターボックスの外周と略同一で、幅長さを所定の幅長さにして構成された左打席バッターボックス枠３と、右打席バッターボックス枠２と左打席バッターボックス枠３の間に設置されるホームベース枠４と、を有し、右打席バッターボックス枠２および左打席バッターボックス枠３は、短辺の横方向の中央部分である横方向中央部１０で分離し、その横方向中央部１０で分離した右打席バッターボックス枠２および左打席バッターボックス枠３をそれぞれ上側方向に折曲する横方向中央バッター連結ヒンジ（横方向中央バッター連結折曲手段）１３により連結され、さらに、長辺の縦方向の上部１／３部分である縦方向上部１／３部１１で分離し、その縦方向上部１／３部１１で分離した右打席バッターボックス枠２および左打席バッターボックス枠３をそれぞれ上側方向に折曲する縦方向上部１／３バッター連結ヒンジ（縦方向上部１／３バッター連結折曲手段）１４により連結されるとともに、長辺の縦方向の下部１／３部分である縦方向下部１／３部１２でも分離し、その縦方向下部１／３部１２で分離した右打席バッターボックス枠２および左打席バッターボックス枠３をそれぞれ上側方向に折曲する縦方向下部１／３バッター連結ヒンジ（縦方向下部１／３バッター連結折曲手段）１５により連結され、右打席バッターボックス枠２および左打席バッターボックス枠３とホームベース枠４は、右打席バッターボックス枠２および左打席バッターボックス枠３とホームベース枠４とを分離させて、その分離部分にバッターホーム連結凸部６２（バッターホーム連結手段）とバッターホーム連結凹部６３（バッターホーム連結手段）を設け、右打席バッターボックス枠２および左打席バッターボックス枠３とホームベース枠４とを連結させるようにしたところが異なる（図１１（ａ）、図１１（ｂ）、図１２参照）。なお、第４実施形態においては、第１実施形態と異なるところを中心に説明する。また、第４実施形態では、第１実施形態と同一構成（近似構成も含む）については、同一符号を用い、同一作用効果を奏するものとし説明は省略する。
【００６７】
第４実施形態のベースボールライン引き補助器具６１は、ホームベース枠４の右打席バッターボックス枠２（左打席バッターボックス枠３）との接合部分にバッターホーム連結凸部６２（バッターホーム連結手段）が形成され、また、右打席バッターボックス枠２および左打席バッターボックス枠３のホームベース枠４との接合部分にはバッターホーム連結凸部６２の凸形状と同形状の凹形状のバッターホーム連結凹部６３（バッターホーム連結手段）が形成されている。そして、このホームベース枠４に形成されたバッターホーム連結凸部６２の上部から右打席バッターボックス枠２および左打席バッターボックス枠３に形成されたバッターホーム連結凹部６３を係合させることにより、ホームベース枠４と右打席バッターボックス枠２および左打席バッターボックス枠３が結合される。これにより、ホームベース枠４と右打席バッターボックス枠２および左打席バッターボックス枠３が着脱可能に結合される（図１２参照）。なお、本実施形態では、ホームベース枠４にバッターホーム連結凸部６２（図１１、図１２参照）を形成し、また、右打席バッターボックス枠２および左打席バッターボックス枠３にバッターホーム連結凹部６３（図１１、図１２参照）を形成したが、これに限らず、下記の変形例４に示すように、ホームベース枠４にバッターホーム連結凸部８２（図１６、図１７参照）と同等の形状のものを形成し、右打席バッターボックス枠２および左打席バッターボックス枠３にバッターホーム連結凹部８３と同等の形状のものを形成したものでもよい。
【００６８】
次に、第４実施形態のベースボールライン引き補助器具６１の折り畳み手順について説明する。
【００６９】
まず、ホームベース枠４と右打席バッターボックス枠２および左打席バッターボックス枠３とを分離させる。すなわち、ホームベース枠４に形成されたバッターホーム連結凸部６２と右打席バッターボックス枠２および左打席バッターボックス枠３に形成されたバッターホーム連結凹部６３とを取り外すことにより（図１１（ｂ）参照）、ホームベース枠４と右打席バッターボックス枠２および左打席バッターボックス枠３がそれぞれ分離する。
【００７０】
次に、右打席バッターボックス枠２および左打席バッターボックス枠３を折り畳む。なお、この右打席バッターボックス枠２および左打席バッターボックス枠３の折り畳み手順は第１実施形態と同様であるので、説明は省略する（図１１（ｃ）、図１１（ｄ）参照）。
【００７１】
このように、ホームベース枠４と右打席バッターボックス枠２および左打席バッターボックス枠３とを分離させて、右打席バッターボックス枠２および左打席バッターボックス枠３を横方向中央バッター連結ヒンジ１３、縦方向上部１／３バッター連結ヒンジ１４、縦方向下部１／３バッター連結ヒンジ１５により折り畳み、ホームベース枠４、右打席バッターボックス枠２および左打席バッターボックス枠３を重ね合わせることにより、ベースボールライン引き補助器具６１を縦方向約３３％の大きさに、横方向約２０％の大きさにコンパクトに折り畳むことができる。これにより、持ち運びが容易であるとともに、自動車を用いてベースボールライン引き補助器具６１を移動させる場合でも容易に移動させることができる。さらに、右打席バッターボックス枠２と左打席バッターボックス枠３は、同様の形状をしているので、右打席バッターボックス枠２または左打席バッターボックス枠３の一方（１つのバッターボックス枠）だけ用いて、他のバッターボックスラインを引く際には、上下１８０度回転させて用いることもできる。これにより、２つのバッターボックス枠（右打席バッターボックス枠２および左打席バッターボックス枠３）を設ける必要がなく、１つのバッターボックス枠により、右打席バッターボックス枠２および左打席バッターボックス枠３を兼用させることができる。なお、本実施形態の横方向中央バッター連結ヒンジ（横方向中央バッター連結折曲手段）１３は、右打席バッターボックス枠２（左打席バッターボックス枠３）の表面に配置させて、横方向中央部１０で分離した右打席バッターボックス枠２および左打席バッターボックス枠３を上側方向に折曲できるようにしたが、これに限らず、第３実施形態の構成と同様に、右打席バッターボックス枠２（左打席バッターボックス枠３）の裏面に配置させて、横方向中央部１０で分離した右打席バッターボックス枠２および左打席バッターボックス枠３を下側方向に折曲できるようにしてもよい。また、本実施形態の縦方向上部１／３バッター連結ヒンジ１４（縦方向下部１／３バッター連結ヒンジ１５）についても、右打席バッターボックス枠２（左打席バッターボックス枠３）の表面に配置させて、縦方向上部１／３部１１（縦方向下部１／３部１２）で分離した右打席バッターボックス枠２および左打席バッターボックス枠３を上側方向に折曲できるようにしたが、これに限らず、下記の変形例１、変形例２の構成と同様に、右打席バッターボックス枠２（左打席バッターボックス枠３）の裏面に配置させて、縦方向上部１／３部１１（縦方向下部１／３部１２）で分離した右打席バッターボックス枠２および左打席バッターボックス枠３を下側方向に折曲できるようにしてもよい。また、本実施形態では、ホームベース枠４は、右打席バッターボックス２と左打席バッターボックス３の間の横方向の中央部で分離させていないが、これに限らず、右打席バッターボックス２と左打席バッターボックス３の間の横方向の中央部で分離し、その中央部で分離したホームベース枠４を上側方向（または下側方向）に折曲する中央ホーム連結ヒンジ１８（または１８Ｘ）により連結させるようにしてもよい。  
【００７２】
以上説明したように、本実施形態におけるベースボールライン引き補助器具１、４１、５１を用いることにより、ライン引き作業が容易で、かつ正確な位置・方向に真っ直ぐしたバッターボックス６、７の白線を引くことができるとともに、ベースボールライン引き補助器具１、４１、５１の移動も容易に行うことができる。
【００７３】
今回開示された実施の形態はすべての点で例示であって制限的なものではないと考えられるべきである。さらに本発明の範囲は、上記した説明ではなく特許請求の範囲の記載によって示され、特許請求の範囲と均等の意味及び範囲内でのすべての変更が含まれることが意図される。
【００７４】
次に、本発明の変形例について説明する。
【００７５】
（変形例１）
（１）  本発明の第１実施形態と変形例１の異なる点は、本発明の第１実施形態では、連続ヒンジ（横方向中央バッター連結ヒンジ１３、縦方向上部１／３バッター連結ヒンジ１４、縦方向下部１／３バッター連結ヒンジ１５、中央ホーム連結ヒンジ１８）を右打席バッターボックス枠２（左打席バッターボックス枠３）およびホームベース枠４の表面に設けたが、変形例１では、これらの連続ヒンジを右打席バッターボックス枠２（左打席バッターボックス枠３）およびホームベース枠４の裏面に設けるようにした点で異なる。すなわち、右打席バッターボックス枠２および左打席バッターボックス枠３は、短辺の横方向の中央部分である横方向中央部１０で分離し、その横方向中央部１０で分離した右打席バッターボックス枠２および左打席バッターボックス枠２をそれぞれ下側方向に折曲する横方向中央バッター連結ヒンジ（横方向中央バッター連結折曲手段）１３Ｘにより連結され、さらに、長辺の縦方向の上部１／３部分である縦方向上部１／３部１１で分離し、その縦方向上部１／３部１１で分離した右打席バッターボックス枠２および左打席バッターボックス枠３をそれぞれ下側方向に折曲する縦方向上部１／３バッター連結ヒンジ（縦方向上部１／３バッター連結折曲手段）１４Ｘにより連結されるとともに、長辺の縦方向の下部１／３部分である縦方向下部１／３部１２でも分離し、その縦方向下部１／３部１２で分離した右打席バッターボックス枠２および左打席バッターボックス枠３をそれぞれ下側方向に折曲する縦方向下部１／３バッター連結ヒンジ（縦方向下部１／３バッター連結折曲手段）１５Ｘにより連結され、ホームベース枠４は、右打席バッターボックス２と左打席バッターボックス３の間の横方向の中央部１７で分離し、中央部１７で分離したホームベース枠４を下側方向に折曲する中央ホーム連結ヒンジ（中央ホーム連結折曲手段）１８Ｘにより連結されるようにしているところが異なる。このようにすることにより、ベースボールライン引き補助器具１の裏面を表面にした（図１３（ｂ）参照）後に、第１実施形態と同様の折り畳み手順に沿ってベースボールライン引き補助器具１を折り畳むことにより、第１実施形態と同様の大きさにベースボールライン引き補助器具１を折り畳むことができる。ここで、図１３は、本発明の変形例１のベースボールライン引き補助器具の折り畳み手順を示す図である。なお、変形例１では、第１実施形態と同一構成（近似構成も含む）については、同一符号を用い、同一作用効果を奏するものとする。
【００７６】
（変形例２）
（２）  変形例１同様、本発明の第３実施形態の連続ヒンジ（横方向中央バッター連結ヒンジ４３、縦方向上部１／３バッター連結ヒンジ１４、縦方向下部１／３バッター連結ヒンジ１５、中央ホーム連結ヒンジ１８）を設けた位置を表面と裏面を逆にしてもよい。すなわち、右打席バッターボックス枠２および左打席バッターボックス枠３は、短辺の横方向の中央部分である横方向中央部１０で分離し、その横方向中央部１０で分離した右打席バッターボックス枠２および左打席バッターボックス枠３をそれぞれ上側方向に折曲する横方向中央バッター連結ヒンジ（横方向中央バッター連結折曲手段）４３Ｘにより連結され、さらに、長辺の縦方向の上部１／３部分である縦方向上部１／３部１１で分離し、その縦方向上部１／３部１１で分離した右打席バッターボックス枠２および左打席バッターボックス枠３をそれぞれ下側方向に折曲する縦方向上部１／３バッター連結ヒンジ（縦方向上部１／３バッター連結折曲手段）１４Ｘにより連結されるとともに、長辺の縦方向の下部１／３部分である縦方向下部１／３部１２でも分離し、その縦方向下部１／３部１２で分離した右打席バッターボックス枠２および左打席バッターボックス枠３をそれぞれ下側方向に折曲する縦方向下部１／３バッター連結ヒンジ（縦方向下部１／３バッター連結折曲手段）１５Ｘにより連結され、ホームベース枠４は、右打席バッターボックス２と左打席バッターボックス２の間の横方向の中央部１７で分離し、その中央部で分離したホームベース枠４を下側方向に折曲する中央ホーム連結ヒンジ（中央ホーム連結折曲手段）１８Ｘにより連結され、右打席バッターボックス枠２および左打席バッターボックス枠３とホームベース枠４は、右打席バッターボックス枠２および左打席バッターボックス枠３とホームベース枠４とを分離させて、その分離部分に右打席バッターボックス枠２および左打席バッターボックス枠３を上側方向に折曲させるホームバッター連結ヒンジ（ホームバッター連結折曲手段）４４Ｘを配置されるようにしてもよい。このようにすることにより、ベースボールライン引き補助器具５１の裏面を表面にした（図１４（ｂ）参照）後に、第３実施形態と同様の折り畳み手順に沿ってベースボールライン引き補助器具５１を折り畳むことにより、第３実施形態と同様の大きさにベースボールライン引き補助器具５１を折り畳むことができる。ここで、図１４は、本発明の変形例２のベースボールライン引き補助器具の折り畳み手順を示す図である。なお、変形例２では、第３実施形態と同一構成（近似構成も含む）については、同一符号を用い、同一作用効果を奏するものとする。
【００７７】
（変形例３）
（３）本発明の第４実施形態と変形例３が異なる点は、本発明の第４実施形態では、右打席バッターボックス枠２および左打席バッターボックス枠３とホームベース枠４とを分離させて、その分離部分にバッターホーム連結凸部６２（バッターホーム連結手段）とバッターホーム連結凹部６３（バッターホーム連結手段）を設けるようにしたが、変形例３では、右打席バッターボックス枠２および左打席バッターボックス枠３とを兼用する右左兼用バッターボックス枠７４を設け、右左兼用バッターボックス枠７４の左右の側面部分にバッターホーム連結凹部６３（図１２参照）と同等形状のバッターホーム連結凹部７３（バッターホーム連結手段）を設けるようにしている点で異なる。このようにすることにより、２つのバッターボックス枠（右打席バッターボックス枠２および左打席バッターボックス枠３）を設ける必要がなく、１つのバッターボックス枠（右左兼用バッターボックス枠７４）により、右打席バッターボックス枠２および左打席バッターボックス枠３を兼用させることができる。すなわち、右左兼用バッターボックス枠７４は、短辺の横方向の中央部分である横方向中央部１０で分離し、その横方向中央部１０で分離した右左兼用バッターボックス枠７４を上側方向に折曲する横方向中央バッター連結ヒンジ（横方向中央バッター連結折曲手段）１３により連結され、さらに、長辺の縦方向の上部１／３部分である縦方向上部１／３部１１で分離し、その縦方向上部１／３部１１で分離した右左兼用バッターボックス枠７４を上側方向に折曲する縦方向上部１／３バッター連結ヒンジ（縦方向上部１／３バッター連結折曲手段）１４により連結されるとともに、長辺の縦方向の下部１／３部分である縦方向下部１／３部１２でも分離し、その縦方向下部１／３部１２で分離した右左兼用バッターボックス枠７４を上側方向に折曲する縦方向下部１／３バッター連結ヒンジ（縦方向下部１／３バッター連結折曲手段）１５により連結され、ホームベース枠４の右左兼用バッターボックス枠７４との左右の接合部分にバッターホーム連結凸部６２（図１２参照）と同等形状のバッターホーム連結凸部７２（バッターホーム連結手段）が形成され、右左兼用バッターボックス枠７４の左右のホームベース枠４との接合部分にはバッターホーム連結凸部７２の凸形状と同形状の凹形状のバッターホーム連結凹部７３（バッターホーム連結手段）が形成されている。そして、右バッターボックスラインを引く際には、右左兼用バッターボックス枠７４を第４実施形態の右打席バッターボックス枠２の位置に配置させ、また、左バッターボックスラインを引く際には、右左兼用バッターボックス枠７４を第４実施形態の左打席バッターボックス枠３の位置に配置させて、ホームベース枠４に形成されたバッターホーム連結凸部７２の上部から右左兼用バッターボックス枠７４に形成されたバッターホーム連結凹部７３を係合させることにより、ホームベース枠４と右左兼用バッターボックス枠７４が結合される。これにより、１つのバッターボックス枠で、左右のバッターボックスラインを引くことができ、ベースボールライン引き補助器具７１を安価に製造でき、かつベースボールライン引き補助器具７１の運搬も容易に行うことができる（図１５参照）。また、右左兼用バッターボックス枠７４には、三塁ライン線３０および一塁ライン線３１が描かれ、バッターキャッチャー連結凹部２２も左右に形成されている。なお、ベースボールライン引き補助器具７１の折り畳み手順については、第４実施形態と同様で図１５を参照することにより容易に理解できるので、説明は省略する。ここで、図１５は、本発明の変形例３のベースボールライン引き補助器具の折り畳み手順を示す図である。なお、第４実施形態同様、変形例３の横方向中央バッター連結ヒンジ（横方向中央バッター連結折曲手段）１３は、右左兼用バッターボックス枠７４の表面に配置させて、横方向中央部１０で分離した右左兼用バッターボックス枠７４を上側方向に折曲できるようにしたが、これに限らず、第３実施形態のように、右左兼用バッターボックス枠７４の裏面に配置させて、横方向中央部１０で分離した右左兼用バッターボックス枠７４を下側方向に折曲できるようにしてもよい。また、変形例３の縦方向上部１／３バッター連結ヒンジ１４（縦方向下部１／３バッター連結ヒンジ１５）についても、右左兼用バッターボックス枠７４の表面に配置させて、縦方向上部１／３部１１（縦方向下部１／３部１２）で分離した右左兼用バッターボックス枠７４を上側方向に折曲できるようにしたが、これに限らず、上記の変形例１および変形例２のように、右左兼用バッターボックス枠７４の裏面に配置させて、縦方向上部１／３部１１（縦方向下部１／３部１２）で分離した右左兼用バッターボックス枠７４を下側方向に折曲できるようにしてもよい。なお、変形例３では、第４実施形態と同一構成（近似構成も含む）については、同一符号を用い、同一作用効果を奏するものとする。なお、本発明の変形例３では、ホームベース枠４にバッターホーム連結凸部７２（図１２、図１５参照）を形成し、また、左右兼用バッターボックス枠７４にバッターホーム連結凹部７３（図１２、図１５参照）を形成したが、これに限らず、下記の変形例４に示すように、ホームベース枠４にバッターホーム連結凸部８２（図１６、図１７参照）と同等の形状のものを形成し、右打席バッターボックス枠２および左打席バッターボックス枠３にバッターホーム連結凹部８３（図１６、図１７参照）と同等の形状のものを形成したものでもよい。
【００７８】
（変形例４）
（４）本発明の変形例３と変形例４の異なる点は、本発明の変形例３では、右左兼用バッターボックス枠７４と連結するホームベース枠４は、ホームベースの外周と接する中空部が形成されたものであるが、変形例４のホームベース体８５は、本発明の変形例３のホームベース枠４の中間部である上辺１／２部と底点部を結んだ線（上辺１／２部で上辺と直交する線）で分割させて大きさを１／２の形状にしている点が異なる。また、変形例３のホームベース枠４のバッターホーム連結凸部７２および右左兼用バッターボックス枠７４のバッターホーム連結凹部７３の形状と、変形例４のホームベース体８５のバッターホーム連結凸部８２および右左兼用バッターボックス枠８４のバッターホーム連結凹部８３の形状も異なる。ここで、変形例４のホームベース体８５は、中空部を有していないので、ホームベース枠ではなくホームベース体と名称付けしている。
【００７９】
すなわち、右左兼用バッターボックス枠８４は、短辺の横方向の中央部分である横方向中央部１０で分離し、その横方向中央部１０で分離した右左兼用バッターボックス枠８４を上側方向に折曲する横方向中央バッター連結ヒンジ（横方向中央バッター連結折曲手段）１３により連結され、さらに、長辺の縦方向の上部１／３部分である縦方向上部１／３部１１で分離し、その縦方向上部１／３部１１で分離した右左兼用バッターボックス枠８４を上側方向に折曲する縦方向上部１／３バッター連結ヒンジ（縦方向上部１／３バッター連結折曲手段）１４により連結されるとともに、長辺の縦方向の下部１／３部分である縦方向下部１／３部１２でも分離し、その縦方向下部１／３部１２で分離した右左兼用バッターボックス枠８４を上側方向に折曲する縦方向下部１／３バッター連結ヒンジ（縦方向下部１／３バッター連結折曲手段）１５により連結され、ホームベース体８５の右左兼用バッターボックス枠８４との接合部分にバッターホーム連結凸部８２（バッターホーム連結手段）が形成され、右左兼用バッターボックス枠８４の左右のホームベース体８５との接合部分にはバッターホーム連結凸部８２の凸形状と同形状の凹形状のバッターホーム連結凹部８３（バッターホーム連結手段）が形成されている。
【００８０】
そして、右バッターボックスラインを引く際には、ホームベース体８５を右バッターボックス側に接合させた後、ホームベース体８５に形成されたバッターホーム連結凸部８２を右左兼用バッターボックス枠８４に形成されたバッターホーム連結凹部８３に挿入させることにより、右左兼用バッターボックス枠８４を第４実施形態の右打席バッターボックス枠２の位置に配置させて、ホームベース体８５と右左兼用バッターボックス枠８４が結合される。また、左バッターボックスラインを引く際には、ホームベース体８５を引っ繰り返してホームベース体８５を左バッターボックス側に接合させた後、ホームベース体８５に形成されたバッターホーム連結凸部８２を右左兼用バッターボックス枠８４に形成されたバッターホーム連結凹部８３に挿入させることにより、右左兼用バッターボックス枠８４を第４実施形態の左打席バッターボックス枠３の位置に配置させて、ホームベース体８５と右左兼用バッターボックス枠８４が結合される。これにより、１つのバッターボックス枠で、左右のバッターボックスラインを引くことができ、さらにホームベース体８５の大きさが変形例３のホームベース枠４よりコンパクトになり、ベースボールライン引き補助器具８１を安価に製造でき、かつベースボールライン引き補助器具８１の運搬も容易に行うことができる（図１６参照）。
【００８１】
ベースボールライン引き補助器具８１の折り畳み手順については、第４実施形態と同様で図１６を参照することにより容易に理解できるので、説明は省略する。ここで、図１６は、本発明の変形例４のベースボールライン引き補助器具の折り畳み手順を示す図である。なお、第４実施形態同様、変形例４の横方向中央バッター連結ヒンジ（横方向中央バッター連結折曲手段）１３は、右左兼用バッターボックス枠８４の表面に配置させて、横方向中央部１０で分離した右左兼用バッターボックス枠８４を上側方向に折曲できるようにしたが、これに限らず、第３実施形態のように、右左兼用バッターボックス枠８４の裏面に配置させて、横方向中央部１０で分離した右左兼用バッターボックス枠８４を下側方向に折曲できるようにしてもよい。また、変形例４の縦方向上部１／３バッター連結ヒンジ１４（縦方向下部１／３バッター連結ヒンジ１５）についても、右左兼用バッターボックス枠８４の表面に配置させて、縦方向上部１／３部１１（縦方向下部１／３部１２）で分離した右左兼用バッターボックス枠８４を上側方向に折曲できるようにしたが、これに限らず、上記の変形例１および変形例２のように、右左兼用バッターボックス枠８４の裏面に配置させて、縦方向上部１／３部１１（縦方向下部１／３部１２）で分離した右左兼用バッターボックス枠８４を下側方向に折曲できるようにしてもよい。なお、変形例４では、第４実施形態と同一構成（近似構成も含む）については、同一符号を用い、同一作用効果を奏するものとする。
【００８２】
次に。変形例４のホームベース体８５のバッターホーム連結凸部８２（バッターホーム連結手段）および右左兼用バッターボックス枠８４のバッターホーム連結凹部８３（バッターホーム連結手段）について図１７を参照して説明する。ここで、図１７は変形例４のホームベース枠と右打席バッターボックス枠および左打席バッターボックス枠との結合方法を示す図である。
【００８３】
変形例４のベースボールライン引き補助器具８１は、ホームベース体８５の右左兼用バッターボックス枠８４との接合部分にバッターホーム連結凸部８２（バッターホーム連結手段）が形成され、また、右左兼用バッターボックス枠８４のホームベース体８５との左右の接合部分にはバッターホーム連結凸部８２の凸形状と同形状の凹形状のバッターホーム連結凹部８３（バッターホーム連結手段）が形成されている。そして、このホームベース体８５に形成されたバッターホーム連結凸部８２を右左兼用バッターボックス枠８４に形成されたバッターホーム連結凹部８３に挿入することにより、ホームベース体８５と右左兼用バッターボックス枠８４が結合される。これにより、ホームベース体８５と右左兼用バッターボックス枠８４が着脱可能に結合される（図１７参照）。
【００８４】
（変形例５）
（５）本発明の変形例４と変形例５の異なる点は、本発明の変形例４は、ホームベース体８５と右左兼用バッターボックス枠８４を分離させ、その分離部分をホームベース体８５のバッターホーム連結凸部８２を右左兼用バッターボックス枠８４のバッターホーム連結凹部８３に挿入させることにより、ホームベース体８５と右左兼用バッターボックス枠８４を結合させたのに対し、本発明の変形例５では、第１実施形態同様、ホームベース体９５と右左兼用バッターボックス枠９４を一体として形成されている点が異なる。また、本発明の変形例５は、表面および裏面にライン引き車輪レールが形成されている点でも異なる。なお、変形例５では、変形例４と同一構成（近似構成も含む）については、同一符号を用い、同一作用効果を奏するものとする。
【００８５】
すなわち、本発明の変形例５のベースボールライン引き補助器具９１は、内周が規則により定められたバッターボックス（図５（ａ）参照）の外周と略同一で、幅長さを所定の幅長さにして構成された左右兼用バッターボックス枠９４と、左右兼用バッターボックス枠９４と一体として形成され、ホームベース枠４の中間部である上辺１／２部と底点部を結んだ線（上辺１／２部で上辺と直交する線）で分割させたホームベースの左右の１／２部分と接するホームベース体９５と、を有し、左右兼用バッターボックス枠９４には、表面および裏面に左右バッターボックス枠９４の内周から所定の長さ離れたところに周方向に渡ってライン引き車輪レールが形成されている。
【００８６】
また、本発明の変形例５のベースボールライン引き補助器具９１は、左右兼用バッターボックス枠９４が、短辺の横方向の中央部分である横方向中央部１０で分離し、その横方向中央部１０で分離した左右兼用バッターボックス枠９４を上側方向に折曲する横方向中央連結ヒンジ（横方向中央バッター連結折曲手段）１３により連結され、さらに、長辺の縦方向の上部１／３部分である縦方向上部１／３部１１で分離し、その縦方向上部１／３部１１で分離した左右兼用バッターボックス枠９４を上側方向に折曲する縦方向上部１／３バッター連結ヒンジ（縦方向上部１／３バッター連結折曲手段）１４により連結されるとともに、長辺の縦方向の下部１／３部分である縦方向下部１／３部１２でも分離し、その縦方向下部１／３部１２で分離した左右兼用バッターボックス枠９４を上側方向に折曲する縦方向下部１／３バッター連結ヒンジ（縦方向下部１／３バッター連結折曲手段）１５により連結されている（図１８参照）。ここで、図１８（ａ）は本発明の変形例５のベースボールライン引き補助器具を示す斜視図であり、図１８（ｂ）は同ベースボールライン引き補助器具の上面図であり、図１８（ｃ）は同ベースボールライン引き補助器具の下面図であり、図１８（ｄ）は図１８（ｂ）のＣ−Ｃ断面図である。  
【００８７】
左右兼用バッターボックス枠９４には、バッターキャッチャー連結凸部２１（図１参照）の凸形状と同形状の凹形状が形成されているバッターキャッチャー連結凹部２２が表面および裏面に形成されている（図１８参照）。そして、右打席バッターボックス側に載置した左右兼用バッターボックス枠９４のバッターキャッチャー連結凹部２２ａとキャッチャーボックス枠５のバッターキャッチャー連結凸部２１を係合させ、また、左打席バッターボックス側に引っ繰り返して載置した左右兼用バッターボックス枠９４のバッターキャッチャー連結凹部２２ｂとキャッチャーボックス枠５のバッターキャッチャー連結凸部２１を係合させる。これにより、キャッチャーボックス枠５がキャッチャーボックスラインを引く際の適切な位置に載置される。
【００８８】
本発明の変形例５のベースボールライン引き補助器具９１は、ベースボールライン引き補助器具９１のホームベース体９５をホームベース（図５（ａ）参照）の左側（または右側）に合わして、右バッターボックス（または左バッターボックス）のラインを引き、次に、ベースボールライン引き補助器具９１を引っ繰り返して、ホームベース（図５（ａ）参照）の右側（または左側）に合わして、左バッターボックス（または右バッターボックス）のラインを引く。そして、左右兼用バッターボックス枠９４には、バッターキャッチャー連結凸部２１（図１参照）の凸形状と同形状の凹形状が形成されているバッターキャッチャー連結凹部２２が表面および裏面に設けられている（図１８参照）。そして、右打席バッターボックス側および左打席バッターボックス側にそれぞれ左右兼用バッターボックス枠９４を載置して、左右兼用バッターボックス枠９４のバッターキャッチャー連結凹部２２ａ、２２ｂとキャッチャーボックス枠５のバッターキャッチャー連結凸部２１をそれぞれ係合させて、キャッチャーボックスラインを引くための適切な位置にキャッチャーボックス枠５を載置させて、キャッチャーボックスラインを引く。
【００８９】
次に、ベースボールライン引き補助器具９１の折り畳み手順については、第１実施形態とほぼ同様で容易に理解できるので、説明は省略する。なお、本発明の変形例５の横方向中央バッター連結ヒンジ（横方向中央バッター連結折曲手段）１３は、左右兼用バッターボックス枠９４の表面に配置させて、横方向中央部１０で分離した左右兼用バッターボックス枠９４を上側方向に折曲できるようにしたが、これに限らず、第３実施形態の構成と同様に、左右兼用バッターボックス枠９４の裏面に配置させて、横方向中央部１０で分離した左右兼用バッターボックス枠９４を下側方向に折曲できるようにしてもよい。また、本発明の変形例５の縦方向上部１／３バッター連結ヒンジ１４（縦方向下部１／３バッター連結ヒンジ１５）についても、左右兼用バッターボックス枠９４の表面に配置させて、縦方向上部１／３部１１（縦方向下部１／３部１２）で分離した左右兼用バッターボックス枠９４を上側方向に折曲できるようにしたが、これに限らず、上記の変形例１、変形例２の構成と同様に、左右兼用バッターボックス枠９４の裏面に配置させて、縦方向上部１／３部１１（縦方向下部１／３部１２）で分離した左右兼用バッターボックス枠９４を下側方向に折曲できるようにしてもよい。また、本発明の変形例５では、ホームベース体９５と右左兼用バッターボックス枠９４は一体として形成されているが、これに限らず、第３実施形態同様、ホームベース体９５と右左兼用バッターボックス枠９４を分離させて、その分離部分に右左兼用バッターボックス枠９４を下側方向（または上側方向）に折曲させるホームバッター連結ヒンジ（ホームバッター連結折曲手段）を設けてもよい。また、ホームベース枠４の中間部である上辺１／２部と底点部を結んだ線（上辺１／２部で上辺と直交する線）で分割させて大きさを１／２にしたホームベース体９４を用いたが、これに限らず、実施形態１〜変形例３に示す中空部を有するホームベース枠の形状のものを用いてもよい。
【００９０】
（変形例６）
変形例４および変形例５では、ホームベースの外周の３辺と接するホームベース体８５、９５を用いたが、これに限らず、ホームベースの外周の２辺以上の部分と接するホームベース体を用いてもよい。このように、ホームベース体がホームベースの外周の２辺以上の部分と接することにより、ライン引き作業中にベースボールライン引き補助器具が動くことがなく、正確な位置や方向をしたバッターボックスの白線を引くことができる。
【００９１】
上述した本発明の実施形態および変形例は、ヒンジを設けた形態について説明したが、これに限らず、ヒンジを設けない形態であってもよい。
【００９２】
以上説明したように、本実施形態におけるベースボールライン引き補助器具１、４１、５１、６１、７１、８１、９１を用いることにより、ライン引き作業が容易で、かつ正確な位置・方向に真っ直ぐしたバッターボックス６、７の白線を引くことができるとともに、ベースボールライン引き補助器具１、４１、５１の移動も容易に行うことができる。
【符号の説明】
【００９３】
１      ベースボールライン引き補助器具  
２      右打席バッターボックス枠
３      左打席バッターボックス枠
４      ホームベース枠
５      キャッチャーボックス枠
６      右打席バッターボックス
７      左打席バッターボックス
８      ホームベース
９      ライン引き車輪レール
１０    横方向中央部
１１    縦方向上部１／３部
１２    縦方向下部１／３部
１３    横方向中央バッター連結ヒンジ
１３Ｘ  横方向中央バッター連結ヒンジ
１４    縦方向上部１／３バッター連結ヒンジ
１４Ｘ  縦方向上部１／３バッター連結ヒンジ
１５    縦方向下部１／３バッター連結ヒンジ
１５Ｘ  縦方向下部１／３バッター連結ヒンジ
１６    中空部
１７    中央部
１８    中央ホーム連結ヒンジ
１８Ｘ  中央ホーム連結ヒンジ
１９    固定孔
２０    キャッチャーボックス
２１    バッターキャッチャー連結凸部
２２    バッターキャッチャー連結凹部
２３    ネジ孔
２４    ネジ
２５    ヒンジ中空部
２６    棒状部
２７    板状部
２８    差込棒
２９    ライン引き器具
３０    三塁ライン線
３１    一塁ライン線
３２    右打席バッターボックス枠
３３    左打席バッターボックス枠
３４    ホームベース枠
３５    キャッチャーボックス枠
３９    ライン引き車輪レール
４１    ベースボールライン引き補助器具
４３    横方向中央バッター連結ヒンジ
４３Ｘ  横方向中央バッター連結ヒンジ
４４    ホームバッター連結ヒンジ
４４Ｘ  ホームバッター連結ヒンジ
５１    ベースボールライン引き補助器具
６１    ベースボールライン引き補助器具
６２    バッターホーム連結凸部
６３    バッターホーム連結凹部
７１    ベースボールライン引き補助器具
７２    バッターホーム連結凸部
７３    バッターホーム連結凹部
７４    右左兼用バッターボックス枠
８１    ベースボールライン引き補助器具
８２    バッターホーム連結凸部
８３    バッターホーム連結凹部
８４    右左兼用バッターボックス枠
８５    ホームベース体
９１    ベースボールライン引き補助器具
９２    バッターホーム連結凸部
９３    バッターホーム連結凹部
９４    右左兼用バッターボックス枠
９５    ホームベース体
【図１】
2015057087.tif 000003
【図２】
2015057087.tif 000004
【図３】
2015057087.tif 000005
【図４】
2015057087.tif 000006
【図５】
2015057087.tif 000007
【図６】
2015057087.tif 000008
【図７】
2015057087.tif 000009
【図８】
2015057087.tif 000010
【図９】
2015057087.tif 000011
【図１０】
2015057087.tif 000012
【図１１】
2015057087.tif 000013
【図１２】
2015057087.tif 000014
【図１３】
2015057087.tif 000015
【図１４】
2015057087.tif 000016
【図１５】
2015057087.tif 000017
【図１６】
2015057087.tif 000018
【図１７】
2015057087.tif 000019
【図１８】
2015057087.tif 000020
【図１９】
2015057087.tif 000021